(57)【要約】【課題】  密閉空間の気密性を維持することができる封止構造を低コストで実現可能とするとともに、生産性の高い画像表示装置を提供する。【解決手段】  前面パネルＳＵＢ２と、背面パネルＳＵＢ１と、球状枠ＢＦ１とを備え、前面パネルＳＵＢ２，背面パネルＳＵＢ１及び球状枠ＢＦ１がフリットガラスＦＴにより固定され、前面パネルＳＵＢ２，背面パネルＳＵＢ１及び球状枠ＢＦ１で囲まれた内部の密閉空間が外部より低圧である画像表示装置において、球状枠ＢＦ１は、球状ガラスＧＢの集合体により構成することにより、枠ガラス部材及びその加工費用が不要となり、安価な構成となる。【選択図】    図１
2006236594.tif 000002
【特許請求の範囲】
【請求項１】
前面パネルと、背面パネルと、外枠とを備え、前記前面パネル，前記背面パネル及び前記外枠が接合材により固定され、前記前面パネル、前記背面パネル及び前記外枠で囲まれた内部の密閉空間が外部より低圧である画像表示装置であって、
前記外枠は、球体の集合体により構成されていることを特徴とする画像表示装置。
【請求項２】
前記球体は、球径が互いに異なることを特徴とする請求項１に記載の画像表示装置。
【請求項３】
前記球体は、ガラス球とすることを特徴とする請求項１または請求項２に記載の画像表示装置。
【請求項４】
前記球体は、セラミックス球とすることを特徴とする請求項１または請求項２に記載の画像表示装置。
【請求項５】
前記球体は、球面に絶縁処理が施された金属球とすることを特徴とする請求項１または請求項２に記載の画像表示装置。
【請求項６】
前記球体は、前記ガラス球，前記セラミックス球及び前記金属球から選ばれた少なくとも二種類を含むことを特徴とする請求項１または請求項２に記載の画像表示装置。
【請求項７】
前記球体は、球径を１ｍｍ以上とすることを特徴とする請求項１乃至請求項６の何れかに記載の画像表示装置。
【請求項８】
前記球体は、前記前面パネルの外周内縁と、前記背面パネルの外周内縁との間に前記接合材を介して互いに固定されていることを特徴とする請求項１乃至請求項７の何れかに記載の画像表示装置。
【請求項９】
前記接合材がフリットガラスであることを特徴とする請求項１乃至請求項８の何れかに記載の画像表示装置。
【請求項１０】
前記密閉空間が真空であることを特徴とする請求項１乃至請求項９の何れかに記載の画像表示装置。
【請求項１１】
前記背面パネルに電界放出素子を有することを特徴とする請求項１乃至請求項１０の何れかに記載の画像表示装置。
【請求項１２】
前記前面パネルと前記背面パネルとの対向間に複数の間隔保持部材を有することを特徴とする請求項１乃至請求項１１の何れかに記載の画像表示装置。
【発明の詳細な説明】
【技術分野】
【０００１】
本発明は、画像表示装置に係り、特に内部の密閉空間を外部より低圧に気密保持された平面パネル型の画像表示装置に関し、詳細には外枠の形状構造に関するものである。
【背景技術】
【０００２】
高輝度及び高精細に優れたディスプレイデバイスとして従来からカラー陰極線管が広く用いられている。しかし、近年の情報処理装置やテレビ放送の高画質化に伴い、高輝度及び高精細の特性を有するとともに、軽量及び省スペースの平板状ディスプレイ（パネルディスプレイ）の要求が高まっている。
【０００３】
その典型例として液晶表示装置及びプラズマ表示装置等が実用化されている。また、特に高輝度化が可能なものとして電界放出型ディスプレイ（以下、ＦＥＤとも称する）や低消費電力化を特徴とする有機ＥＬディスプレイ等、種々の型式のパネル型表示装置の実用化も近い。
【０００４】
このようなパネル型表示装置のうち、前面パネルと背面パネルとの二枚のパネル間の密閉空間を外界の気圧より低気圧または真空とした画像表示装置では、二枚のパネル間の間隙を所定値に保持するとともに、当該密閉空間に気密を維持する必要がある。二枚のパネルの対向間隙に密閉空間を形成するには、両パネルの外周内縁部に間隔保持部材（スペーサまたは隔壁とも称する）を介挿する必要がある。
【０００５】
この間隔保持部材は、接着剤（フリットガラス等）をディスペンサによる塗布または多重印刷法等により塗布することにより得られる。しかし、両パネル間に間隔が大きい場合は、このような塗布手段により形成された間隔保持部材は、接着材の流れや変形等が生じるために所望の間隙を保持することが難しく、また、多重印刷法では時間を要する。
【０００６】
例えば、両基板間の間隔が大きいＦＥＤでは、パネル材料としてガラス板を用い、これらのガラス板（前面パネル及び背面パネル）の間に形成する密閉空間の間隙は約１ｍｍ前後、またはそれ以上である。これら前面パネル及び背面パネルを必要な厚さのガラス材からなる外枠を接着材で固定することにより、上述した間隙を形成している。
【０００７】
図１０は、この種のパネル型画像表示装置の一例としての電界放出型表示装置（ＦＥＤ）の構成例を説明する模式断面図である。この電界放出型表示装置は、背面パネル１と前面パネル２との周縁内壁を外枠３で固定し、この外枠３で囲まれた内部を低圧あるいは真空の密閉空間としている。外枠３の厚みは約１ｍｍ程度であり、接着材４により背面パネル１と前面パネル２とに固定される。
【０００８】
背面パネル１の内面には、カソード電極５，絶縁層６及び格子電極７が形成され、前面パネル２の内面には、アノード電極８と蛍光体９とが形成されている。カソード電極５と蛍光体９との対で１画素が構成され、カラー表示の場合は、異なる色（一般に、赤、緑、青）の光を放出する隣接する３個の異なる蛍光体のグループで１カラー画素を構成する。なお、各画素の間には絶縁材の隔壁１０が設置されている。
【０００９】
この型式のＦＥＤは、カソード電極５から放出される電子ビームを格子電極７に印加される画像情報により制御してアノード電極８に積層した蛍光体９に射突させて所定の色を発色させる。
【００１０】
図１１（ａ）及び図１１（ｂ）は、図１０における背面パネルと前面パネルと外枠との従来の封止構造の構成例を模式的に説明する展開斜視図である。図１１（ａ）に示すように背面パネル１と前面パネル２との間に設置される外枠３は、一体型の枠形状からなり、背面パネル１及び前面パネル２の内面に対向する外枠３の各開口端面にフリットガラスを好適とする接着材３ａ，３ｂを印刷等の手段で塗布して介在させ、仮接着させた後、焼成することにより固定し、内部空間を低気圧または気密空間としている。
【００１１】
また、図１１（ｂ）に示すように従来の他の構成例では、外枠３は、複数種の角柱状の棒部材３ａ１，３ａ２，３ｂ１，３ｂ２にそれぞれ分割して形成し、各棒部材３ａ１，３ａ２，３ｂ１，３ｂ２の各接合面に図示しない接着材を塗布し、枠状に組み合わせて枠体を形成した後、この枠体の各開口端面に接着材を印刷等の手段により塗布して介在させ、焼成することにより固定し、内部空間を低気圧または気密空間としている。
【００１２】
なお、背面ガラスの内面に複数の電子源を形成した背面パネルと、背面ガラスの電子源形成面と対向する前面ガラスの内面に陽極（アノード）及び蛍光体が形成された前面パネルとを所定の間隔をもって対向配置し、背面パネルと前面パネルとの外周内縁部に外枠を介在して貼り合され、真空容器を構成した例は下記特許文献１等を挙げることができる。
【００１３】
【特許文献１】米国特許第６１２６５０５号公報
【発明の開示】
【発明が解決しようとする課題】
【００１４】
しかしながら、このように構成される画像表示装置は、対向する二枚の背面パネルと前面パネルとを接着固定する外枠が大型の板ガラス材から約１ｍｍ程度の寸法で多数本の棒状のガラス部材に切断し、さらにその切断面を研磨した後、この棒状のガラス部材を枠状に組み合わせて形成されるので、加工工数が大幅に増大し、封止構造を生産性良く、しかも低コストで形成することが困難である等の課題があった。つまり、低コスト化が困難であった。
【００１５】
また、画像表示装置の少量生産の場合には、外枠の製造コストが高価となり、また、大量生産の場合には、ガラス引き抜き棒を使用することも考えられるが、生産計画に沿った入手が困難である等の課題があった。
【００１６】
さらに、画像表示装置が大型化した場合、棒状ガラス部材の取り扱い時に破損し易く、また、その材料取りに無駄が生じて結果として高価となってしまうという課題があった。
【００１７】
したがって、本発明は、前述した従来の課題を解決するためになされたものであり、その目的は、密閉空間の気密性を維持することができる封止構造を低コストで実現可能とするとともに、生産性及び信頼性を高めた画像表示装置を提供することにある。
【課題を解決するための手段】
【００１８】
このような目的を達成するために、本発明による画像表示装置は、前面パネルと、背面パネルと、外枠とを備え、前面パネル，背面パネル及び外枠が接合材により固定され、前面パネル、背面パネル及び外枠で囲まれた内部の密閉空間が外部より低圧である画像表示装置において、外枠は、球体の集合体により構成することにより、前面パネルと背面パネルとの対向間の間隔精度を向上させ、簡単且つ容易に気密封止が実現可能となるので、背景技術の課題を解決することができる。
【００１９】
本発明による他の画像表示装置は、好ましくは、上記構成において、外枠を構成する球体は、球径が互いに異なることにより、各球体間の気密性を確保できるとともに、外枠の機械的強度を向上させることができる。
【００２０】
本発明によるさらに他の画像表示装置は、好ましくは、上記構成において、球体をガラス球，セラミックス球または球面に絶縁処理が施された金属球の単独またはそれらの混合体を用いることができる。
【００２１】
本発明による他の画像表示装置は、好ましくは、上記構成において、球体は、前面パネルの外周内縁と、背面パネルの外周内縁との間に接合材を介して互いに固定することにより、接合部にリークが生じ難くなり、密閉空間の気密が維持される。
【００２２】
本発明による他の画像表示装置は、好ましくは、上記構成において、球体は前面パネルまたは背面パネルと同一素材であり、接合材としてフリットガラスを用いることが好ましい。
【００２３】
本発明による他の画像表示装置は、好ましくは、上記構成において、密閉空間を真空とすることにより、前面パネル側と背面パネル側とから圧力を受けるので、接合部にリークが生じ難くなり、密閉空間の気密が維持される。
【００２４】
本発明による他の画像表示装置は、好ましくは、上記構成において、背面パネルに電界放出素子を形成して前面パネルと背面パネルとの間の間隔が１ｍｍ以上であるＦＥＤに適用して特に有効である。
【００２５】
本発明による他の画像表示装置は、好ましくは、上記構成において、前面パネルと背面パネルとの対向間に複数の間隔保持部材を有することにより、前面パネルと背面パネルとの対向間の間隔精度の向上が図れる。
【００２６】
なお、本発明は、上記各構成及び後述する実施の形態に記載される構成に限定されるものではなく、本発明の技術思想を逸脱することなく、種々の変更が可能であることは言うまでもない。
【発明の効果】
【００２７】
本発明によれば、外枠を球体の集合体により構成することにより、外枠を構成していた枠ガラス部材が不要となるので、従来の板ガラス材を切断及び研磨処理等により製作するよりも加工費及び材料費共に安価で容易に製作することができるなどの極めて優れた効果が得られる。
【００２８】
また、本発明によれば、外枠を球体の集合体により構成することにより、封止枠の封止構造が容易に形成され、且つ簡素化されるので、製造工数が著しく低減され、生産性が向上し、製作コストが大幅に低減でき、生産性の高い画像表示装置が実現可能となる等の極めて優れた効果が得られる。
【発明を実施するための最良の形態】
【００２９】
以下、本発明の具体的な実施の形態について、実施例の図面を参照して詳細に説明する。なお、ここでは本発明をＦＥＤに適用したものについて説明するが、他の同様の画像表示装置あるいは類似する機器にも同様に適用できるものである。
【実施例１】
【００３０】
図１及び図２は、本発明による画像表示装置の実施例１を説明する図であり、図１（a）は前面パネル側から見た平面図を、図１（b）は図１（a）のＡ−Ａ'線に沿って切断された断面図をそれぞれ示している。図２は背面パネルと前面パネルと球状枠との封止構造の構成例を模式的に説明する展開斜視図を示している。
【００３１】
図１において、この画像表示装置は、板ガラス材からなる背面基板の内面側に複数の電子放出源等が形成された背面パネルＳＵＢ１と、この背面パネルＳＵＢ１の電子放出源形成面（内面）と対向する内面にブラックマトリクス膜，蛍光体層及び陽極等が形成された透光性ガラス基板からなる前面パネルＳＵＢ２とが対向配置され、背面パネルＳＵＢ１及び前面パネルＳＵＢ２の外周内縁部には、図２に斜視図で示すように辺の長さ方向に沿って多数個の球体として球径約１ｍｍの球状ガラスＧＢを一列に数珠繋ぎに連接させて構成された球状枠ＢＦ１がフリットガラスＦＴを介在させて接着固定により配置されている。
【００３２】
また、これらの背面パネルＳＵＢ１と前面パネルＳＵＢ２との対向間には、複数枚の間隔保持部材ＳＰＣが図示しないフリットガラスを介在させて固定配置され、背面パネルＳＵＢ１と前面パネルＳＵＢ２との間が所定間隔で保持固定され、背面パネルＳＵＢ１と前面パネルＳＵＢ２と球状枠ＢＦ１と間隔保持部材ＳＰＣとが一体となって内部に密閉空間が形成されて気密封止された真空容器が構成される。
【００３３】
なお、図中の間隔保持部材ＳＰＣは、球状枠ＧＢ１を固着配置する前後の何れの段階で接着固定させても良い。また、ここでは、背面パネルＳＵＢ１及び前面パネルＳＵＢ２の各対向内面に形成される各種の構成部材及び排気管等は図示を省略してある。また、背面パネルＳＵＢ１をセラミックス基板で構成しても良い。
【００３４】
この球状枠ＢＦ１は、内面側に複数の電子放出源が形成された背面パネルＳＵＢ１及びこの背面パネルＳＵＢ１の電子放出源形成面（内面）と対向する内面にブラックマトリクス膜及び蛍光体層等が形成された前面パネルＳＵＢ２の外周内縁部にフリットガラスＦＴをスクリーン印刷法等により塗布した後、何れか一方のパネルのフリットガラスＦＴ上に多数個の球状ガラスＧＢを一列に数珠繋ぎに連接させて配置した後に背面パネルＳＵＢ１と前面パネルとＳＵＢ２とを内面側を対向させて組み合わせ、乾燥させた後に約４３０℃程度で加熱焼成して接着固定させることにより、封着される。
【００３５】
この画像表示装置では、ｙ方向（図１（ａ）の上下方向）にデータ信号配線が延在してｘ方向（図１（ａ）の左右方向）に多数並設されている。また、データ信号配線と交差するｘ方向に走査信号線が延在してｙ方向に多数並設されている。実施例１は、走査信号線への駆動信号を図１（ａ）の左右両側の辺に搭載したゲートドライバＧＤＲ（１）とＧＤＲ(２)から印加する方式である。
【００３６】
データ信号配線は図１（ａ）の上側に搭載したデータドライバＤＤＲで駆動される。（このため、封止の信頼性の観点から、ゲッタルームＧＢＸは引き出し配線の無い図の下側の辺に設置するのが好適である。）なお、説明を簡単にするため、図１（ａ）にはゲートドライバとデータドライバは各辺に一個のみを示した。
【００３７】
薄い板ガラス材等からなる間隔保持部材ＳＰＣは、走査信号線の上に当該走査信号線の長手方向に沿って幅方向がｚ方向になるように植立され、背面パネルＳＵＢ１と前面パネルＳＵＢ２の間隙を所定値に維持する。図１（ａ）では、各走査信号線の長手方向に沿って４枚の間隔保持部材ＳＰＣを設置しているが、これは一例に過ぎず、配置数及びその間隔等は、画像表示装置の表示面のサイズ，背面パネルＳＵＢ１及び前面パネルＳＵＢ２の材料及びその板厚及び解像度等により決定される。
【００３８】
実施例１の構成により、球状枠ＢＦ１は、背面パネルＳＵＢ１及び前面パネルＳＵＢ２の外周内縁部にフリットガラスＦＴを介在させて多数個の球状ガラスＧＢを一列に数珠繋ぎに連接させて配設する一括形成により構成されるので、枠ガラス部材等が不要となり、加工費及び材料費が安価となり、生産性を大幅に向上させることができる。また、品種毎に長さの異なる枠ガラス部材等が不要となるので、加工費及び材料費等が安価となり、生産性を大幅に向上させることができる。
【００３９】
また、実施例１の構成により、球状枠ＢＦ１は、品種毎に異なる外枠の設計変更を印刷用マスクの変更のみで可能となるので、小型から大型までの各種の表示パネルを生産性良く製作することができる。また、このように構成される球状枠ＢＦは、表示パネルを構成する板ガラス材の大型板ガラス材からの多面取りが可能となるので、板ガラス材の材料取りに無駄が激減し、歩留まりが向上し、表示パネルのコストを大幅に低減させることができる。
【実施例２】
【００４０】
図３は、本発明による画像表示装置の実施例２を説明する球状枠の構成を示す上方から見た要部拡大平面図であり、前述した図と同一部分には同一符号を付してある。図３において、図１と異なる点は、フリットガラスＦＴ内に多数個の球状ガラスＧＢを二列に千鳥状に数珠繋ぎに連接して配置されて球状枠ＢＦ２が構成されている。
【００４１】
実施例２の構成により、球状枠ＢＦ２は、球状ガラスＧＢを千鳥状配置させて構成されるので、内部の密閉空間の気密性を向上させ、信頼性を大幅に向上させることができる。
【実施例３】
【００４２】
図４は、本発明による画像表示装置の実施例３を説明する球状枠の構成を示す上方から見た要部拡大平面図であり、前述した図と同一部分には同一符号を付してある。図４において、図１と異なる点は、フリットガラスＦＴ内に多数個の球状ガラスＧＢと、この球状ガラスＧＢよりも球径の小さい球状ガラスＧＢ１とを二列に千鳥状に数珠繋ぎに連接して配置されて球状枠ＢＦ３が構成されている。
【００４３】
実施例３の構成により、球状枠ＢＦ３は、球状ガラスＧＢと径小の球状ガラスＧＢ１とを千鳥状に配置させて構成されるので、内部の密閉空間の気密性の信頼性確保が容易となる。
【実施例４】
【００４４】
図５は、本発明による画像表示装置の実施例３を説明する図であり、図５（a）は前面パネル側から見た平面図を、図５（b）は図５（a）のＡ−Ａ'線に沿って切断された断面図をそれぞれ示し、前述した図１と同一部分に同一符号を付し、その説明は省略する。
【００４５】
図５において、図１の構成と異なる点は、フリットガラスＦＴ内に多数個の球状ガラスＧＢと、この球状ガラスＧＢよりも球径の小さい球状ガラスＧＢ１と、この球状ガラスＧＢ１よりもさらに球径の小さい球状ガラスＧＢ２とを混在させて球状枠ＢＦ４が構成されている。
【００４６】
なお、この球状枠ＢＦ４は、フリットガラスＦＴ内に多数個の球状ガラスＧＢと、この球状ガラスＧＢよりも球径の小さい球状ガラスＧＢ１と、この球状ガラスＧＢ１よりもさらに球径の小さい球状ガラスＧＢ２とを適宜混在させたフリットガラスペーストを、何れか一方のパネルの外周内縁部に例えばディスペンサー法または印刷塗布法等により塗布し、両パネル内面側を対向させて組み合わせ、約４３０℃で加熱焼成することにより形成することができる。したがって、背面パネルＳＵＢ１と前面パネルＳＵＢ２との自動組み立てが極めて容易となる。
【００４７】
実施例４の構成により、球状枠ＢＦ４は、球状ガラスＧＢと、径小の球状ガラスＧＢ２と、さらに径小の球状ガラスＧＢ３とを混在させて構成されるので、球径の異なる各球状ガラス相互間の接着強度が向上し、内部の密閉空間の気密性の信頼性確保がさらに容易となる。
【００４８】
なお、前述した各実施例においては、球状枠ＢＦ１，ＢＦ２，ＢＦ３，ＢＦ４を構成する球体として球状ガラスＧＢ，ＧＢ１，ＧＢ２を用いた場合について説明したが、本発明はこれに限定されるものではなく、セラミックス球または球面に絶縁処理が施された金属球を用いて良く、さらにはガラス球，セラミックス球及び金属球の何れかを組み合わせた混合球体を用いても前述と同様の効果が得られることは勿論である。
【００４９】
また、前述した各実施例においては、球状ガラスＧＢの球径を約１ｍｍとしたが、前面パネルＳＵＢ２の内面に形成される陽極に印加される高電圧が低いと、球径を例えば約１ｍｍ程度に小さくすることができるが、この場合、蛍光体層に流れる電流密度が大きくなり、蛍光体層の劣化が速くなる。したがって、通常では、高い高電圧、例えば約１０ＫＶ以上を印加して球状ガラスＧＢの球径を約１ｍｍ以上、約５ｍｍ以下の範囲としている。
【００５０】
図６は、本発明の画像表示装置の典型例としてのＭＩＭ型薄膜電子源を用いた画像表示装置のさらに詳細な模式平面図である。なお、図６では、主として電子源を有する一方のガラス基板（陰極基板）すなわち背面パネルＳＵＢ１の平面を示すが、蛍光体及び陽極等を形成した他方のガラス基板（蛍光体基板、表示側基板、カラーフィルタ基板等とも称する）とした前面パネルＳＵＢ２に有するブラックマトリクスＢＭと蛍光体ＰＨ（Ｒ），ＰＨ（Ｇ），ＰＨ（Ｂ）と陽極ＡＤとを部分的に示し、前面パネルＳＵＢ２自体は図示していない。
【００５１】
背面パネルＳＵＢ１には、データ信号線駆動回路ＤＤＲに接続するデータ信号線ＤＬ及び絶縁層ＩＮＳ１でデータ信号線ＤＬと絶縁して交差配置されて走査信号線駆動回路ＧＤＲに接続した走査信号線ＧＬ等が形成されている。データ信号線ＤＬを第１の電極とし、トンネル絶縁層を介して積層した走査信号線ＧＬの薄膜電極を第２の電極とする複数の電子源ＥＬＳが電子源アレイとして配置される。なお、符号ＤＬＴはデータ信号線ＤＬの引き出し端子、ＧＬＴは走査信号線ＧＬの引き出し端子をそれぞれ示している。
【００５２】
前面パネルＳＵＢ２に有する蛍光体ＰＨ（Ｒ），ＰＨ（Ｇ），ＰＨ（Ｂ）は背面パネルＳＵＢ１の個々の電子源ＥＬＳと対向している。この前面パネルＳＵＢ２と背面パネルＳＵＢ１との間を間隔保持部材ＳＰＣで所定の間隙に規制されている。薄膜電極（電子源ＥＬＳの上部電極）は、分離部ＳＥＰで隣接する電子源アレイの走査信号線と電気的に分離されている。
【００５３】
図７は、図６に示した本発明による画像表示装置の全体構造の一例をさらに説明する一部破断して示す斜視図である。また、図８は、図７のＡ−Ａ’線に沿って切断した断面図である。背面パネルＳＵＢ１の内面にはデータ信号線ＤＬと走査信号線ＧＬとを有し、データ信号線ＤＬと走査信号線ＧＬとの交差部分に電子源が形成されている。データ信号線ＤＬの端部にはデータ信号線の引き出し端子ＤＬＴが形成され、走査信号線ＧＬの端部には走査信号線引き出し端子ＧＬＴが形成されている。
【００５４】
前面パネルＳＵＢ２の内面には陽極ＡＤと蛍光体層ＰＨとが形成されている。背面パネルＳＵＢ１と前面パネルＳＵＢ２とは、その周縁部の内側に本発明の構成を適用した球状枠ＢＦを介在させて貼り合わされる。この貼り合わせた間隙を所定値に保持するため、背面パネルＳＵＢ１と前面パネルＳＵＢ２との間にガラス板を好適とする間隔保持部材ＳＰＣを植立させていることは前述したとおりである。図８はこの間隔保持部材ＳＰＣに沿った断面なので、間隔保持部材ＳＰＣは図示を省略してある。
【００５５】
図９は、本発明の構成を適用した画像表示装置の等価回路例の説明図である。図９中に破線で示した領域は表示領域ＡＲであり、この表示領域ＡＲにはｎ本のデータ信号線ＤＬとｍ本の走査信号線ＧＬとが互いに交差して配置されてｎ×ｍのマトリクスが形成されている。マトリクスの各交差部はカラーの副画素を構成し、図中の３つの単位画素（あるいは、副画素）"Ｒ"，"Ｇ"，"Ｂ"の１グループでカラー１画素を構成する。なお、電子源の構成は図示を省いた。
【００５６】
データ信号線ＤＬは、データ信号線引き出し端子ＤＬＴでデータ信号線駆動回路ＤＤＲに接続される。走査信号線ＧＬは走査信号線引き出し端子ＧＬＴで走査信号駆動回路ＧＤＲに接続されている。データ信号線駆動回路ＤＤＲには外部信号源から画像データ信号ＮＳが入力され、走査信号線駆動回路ＧＤＲには同様に走査信号ＳＳが入力される。
【００５７】
これにより、順次選択される走査信号線ＧＬに交差するデータ信号線ＤＬに表示データ（画像信号）を供給することにより、二次元のフルカラー画像を表示することができる。本構成例を用いることにより、比較的低い電圧で高効率の自発光平面表示装置が実現される。
【図面の簡単な説明】
【００５８】
【図１】本発明による画像表示装置の実施例１を説明する図であり、図１（ａ）は要部平面図、図１（ｂ）は図１（ａ）のＡ−Ａ’線に沿って切断した断面図である。
【図２】背面パネルと前面パネルと球状枠との封止構造を模式的に示す展開斜視図である。
【図３】本発明による画像表示装置の実施例２を説明する要部拡大平面図である。
【図４】本発明による画像表示装置の実施例３を説明する要部拡大平面図である。
【図５】本発明による画像表示装置の実施例４を説明する図であり、図５（ａ）は要部平面図、図５（ｂ）は図５（ａ）のＡ−Ａ’線に沿って切断した断面図である。
【図６】本発明の画像表示装置の典型例としてのＭＩＭ型薄膜電子源を用いた画像表示装置のさらに詳細な模式平面図である。
【図７】図６に示した本発明による画像表示装置の全体構造の一例をさらに説明する一部破断して示す斜視図である。
【図８】図７のＡ−Ａ’線に沿って切断した断面図である。
【図９】本発明の構成を適用した画像表示装置の等価回路例の説明図である。
【図１０】画像表示装置における従来の封止枠の構成例を説明するための模式断面図である。
【図１１】画像表示装置における背面基板と前面基板と封止枠との従来の封止構造の構成例を模式的に説明する展開斜視図である。
【符号の説明】
【００５９】
ＳＵＢ１・・・背面パネル、ＳＵＢ２・・・前面パネル、ＢＦ・・・球状枠、ＢＦ１・・・球状枠、ＢＦ２・・・球状枠、ＢＦ３・・・球状枠、ＢＦ４・・・球状枠、ＧＢ１・・・球状ガラス、ＧＢ２・・・球状ガラス、ＧＢ３・・・球状ガラス、ＦＴ・・・フリットガラス、ＳＰＣ・・・間隔保持部材、ＤＤＲ・・・データ線駆動回路、ＧＤＲ・・・走査線駆動回路。
【図１】
2006236594.tif 000003
【図２】
2006236594.tif 000004
【図３】
2006236594.tif 000005
【図４】
2006236594.tif 000006
【図５】
2006236594.tif 000007
【図６】
2006236594.tif 000008
【図７】
2006236594.tif 000009
【図８】
2006236594.tif 000010
【図９】
2006236594.tif 000011
【図１０】
2006236594.tif 000012
【図１１】
2006236594.tif 000013